(57)【要約】      （修正有）【課題】水処理装置内の水の凍結を簡単な構造で防止可能な燃料電池発電システムを提供する。【解決手段】燃料電池発電システムにおいて、水処理装置１２の水供給手段２４は、水供給通路３１と純水ポンプ３２とを備え、水供給通路３１の通路部３１ｂに設置され且つ蒸発部への流れを許容する第１逆流防止手段３５と、通路部３１ｂの第１逆流防止手段と純水ポンプ３２との間から分岐して水処理手段２２の上端近傍部に接続された戻り通路３３と、戻り通路３３に設置され且つ水処理手段２２への流れを許容する第２逆流防止手段３６と、水供給通路３１の純水ポンプ３２の下流側から分岐して貯留手段２２に接続された接続通路３４と、接続通路３４に設置され且つ純水ポンプ３２への流れを許容する第３逆防止手段３７とを備え、凍結防止が必要な場合、純水ポンプ３２を蒸発部側とは逆方向とする逆流運転となるように制御する。【選択図】図２
2013206658.tif 000002
【特許請求の範囲】
【請求項１】
燃料電池の排気ガスを冷却して凝縮水を回収する水回収手段と、前記凝縮水中の不純物を除去する水処理部と、この水処理部で処理された水を貯留する貯留手段と、この貯留手段に貯留された水を蒸発部へ供給する水供給手段とを備えた燃料電池発電システムにおいて、
前記水供給手段は、前記貯留手段と前記蒸発部とを接続する水供給通路と、この水供給通路に設置された正逆両方向へ水供給可能な純水ポンプとを備え、
前記水供給通路の前記貯留手段と前記純水ポンプとの間の通路部に設置され且つ前記蒸発部への水供給方向の流れを許容する第１逆流防止手段と、
前記通路部の前記第１逆流防止手段と前記純水ポンプとの間から分岐して前記水処理手段の上端近傍部又は上流側に接続された戻り通路と、
前記戻り通路に設置され且つ前記水処理手段への流れを許容する第２逆流防止手段と、
前記水供給通路の前記純水ポンプの下流側から分岐して前記貯留手段に接続された接続通路と、
前記接続通路に設置され且つ前記純水ポンプへの流れを許容する第３逆防止手段と、
前記純水ポンプを制御する制御手段とを備え、
凍結防止が必要な場合、前記制御手段は、前記純水ポンプを前記水供給方向と逆方向とする逆流運転となるように制御することを特徴とする燃料電池発電システム。
【請求項２】
前記戻り通路の少なくとも一部を高熱伝導性の配管部材で構成し、この高熱伝導性の配管部材の外周に加熱手段を設けたことを特徴とする請求項１に記載の燃料電池発電システム。
【発明の詳細な説明】
【技術分野】
【０００１】
本発明は燃料電池発電システムに関し、特に水処理装置内の水の凍結を防止する場合、水処理装置内に水の循環流を発生させるものに関する。
【背景技術】
【０００２】
従来、空気と改質燃料ガス（水素含有ガス）とを燃料電池セルスタックに供給することで電力を発生させ、この発電の際に副次的に発生する熱を湯水として回収する燃料電池コージェネレーションシステムが実用に供されている。従来の燃料電池コージェネレーションシステムは、発電を行なう燃料電池発電システムと、熱交換後の湯水を貯湯する貯湯槽を有する貯湯システムと、燃料電池発電システムと貯湯システムとの間に湯水を循環させる湯水循環通路等を備えている。
【０００３】
ここで、上記の燃料電池発電システムは、一般に、空気と改質燃料ガスとで発電を行なう燃料電池セルスタックとこの燃料電池セルスタックに供給する改質燃料ガスを純水（水蒸気）と天然ガス等の燃料ガスから生成する改質器とを有する燃料電池発電モジュールと、この燃料電池発電モジュールからの排気ガスと貯湯槽の湯水との間で熱交換する熱交換器と、この熱交換器で回収された凝縮水を改質器に供給する純水へ浄化する水処理装置等を備えている。
【０００４】
ところで、上記の水処理装置では、凝縮水を処理タンクでイオン交換して純水を生成するが、この純水は純水タンクに一時的に貯留され、純水ポンプの駆動に伴い水供給通路を介して、燃料ガスに混合する為の水蒸気を生成する蒸発器に供給されるので、発電運転の停止時には、水供給通路を含む各接続通路、処理タンク及び純水タンクに常時水が残留することになる。このため、寒冷地や冬場等で発電運転を停止した場合、純水の凍結に伴う体積膨張によって内部の圧力が上昇して接続通路等が損傷してしまう虞がある。
【０００５】
燃料電池発電システム内の水の凍結を防止する技術としては、例えば、特許文献１には、燃料電池の温度調整する為に、燃料電池に冷却媒体を循環させる冷却媒体装置が設けられている。この冷却媒体装置は、発電運転停止時に、水が凍結しつつ氷結晶が成長するのを防止する機能を備えている。燃料電池内の水が凍結する虞がある場合、冷却媒体装置は、循環ポンプを逆流運転させ、循環回路に設置されたラジエータで冷却媒体を急速に冷却し、燃料電池を急速に冷却することで、水による氷結晶の成長を防止する。
【先行技術文献】
【特許文献】
【０００６】
【特許文献１】特開２０１０−２８２９２９号公報
【発明の概要】
【発明が解決しようとする課題】
【０００７】
しかし、特許文献１の凍結防止の構造は、モジュール内の水の凍結を防止する為のものであり、冷却媒体装置の循環回路を流れる冷媒自体の凍結防止に関しては考慮されていない。従って、水処理装置の接続通路内の水の凍結防止に、特許文献１の凍結防止の構造を適用することはできない。一般的に、水供給通路を含む各接続通路には、凍結防止用の複数のヒータが設置されている場合が多いが、全ての接続通路に複数のヒータを設置することはコストが掛かってしまう。
【０００８】
また、水処理装置において、処理タンク、貯留タンク及び各接続通路は、通常は樹脂製の配管部材から構成されているので、これら樹脂製の配管部材に対してヒータを貼り付けても昇温効率が悪く、水の凍結防止する場合には、大きな消費電力が掛かりコスト高となってしまう。
【０００９】
本発明の目的は、水処理装置内の水の凍結を簡単な構造で防止可能な燃料電池発電システムを提供すること、及び、ヒータを設置した場合でも消費電力を抑制可能な燃料電池発電システムを提供すること、等である。
【課題を解決するための手段】
【００１０】
請求項１の燃料電池発電システムは、燃料電池の排気ガスを冷却して凝縮水を回収する水回収手段と、前記凝縮水中の不純物を除去する水処理部と、この水処理部で処理された水を貯留する貯留手段と、この貯留手段に貯留された水を蒸発部へ供給する水供給手段とを備えた燃料電池発電システムにおいて、前記水供給手段は、前記貯留手段と前記蒸発部とを接続する水供給通路と、この水供給通路に設置された正逆両方向へ水供給可能な純水ポンプとを備え、前記水供給通路の前記貯留手段と前記純水ポンプとの間の通路部に設置され且つ前記蒸発部への水供給方向の流れを許容する第１逆流防止手段と、前記通路部の前記第１逆流防止手段と前記純水ポンプとの間から分岐して前記水処理手段の上端近傍部又は上流側に接続された戻り通路と、前記戻り通路に設置され且つ前記水処理手段への流れを許容する第２逆流防止手段と、前記水供給通路の前記純水ポンプの下流側から分岐して前記貯留手段に接続された接続通路と、前記接続通路に設置され且つ前記純水ポンプへの流れを許容する第３逆防止手段と、前記純水ポンプを制御する制御手段とを備え、  凍結防止が必要な場合、前記制御手段は、前記純水ポンプを前記水供給方向と逆方向とする逆流運転となるように制御することを特徴としている。
【００１１】
請求項２の燃料電池発電システムは、請求項１の発明において、前記戻り通路の少なくとも一部を高熱伝導性の配管部材で構成し、この高熱伝導性の配管部材の外周に加熱手段を設けたことを特徴としている。
【発明の効果】
【００１２】
請求項１の発明によれば、水処理装置が、戻り通路と、接続通路と、第１〜第３逆防止手段とを備えたので、水処理装置内の水の流れを一方向にのみ許容する循環回路を構成することができる。凍結防止が必要な場合、制御手段は、純水ポンプを水の供給方向と逆方向とする逆流運転となるように制御するので、上記の循環回路に水が常時循環して、水が凍結し難い状態となる。従って、簡単な構造で水の凍結を防止することができ、また、水処理装置の全体に亙って複数のヒータを設置する必要がなくなるので、コストを低減することができる。
【００１３】
請求項２の発明によれば、戻り通路の少なくとも一部を高熱伝導性の配管部材で構成し、この高熱伝導性の配管部材の外周に加熱手段を設けたので、外気温度に応じて、戻り通路の一部で水を加熱することで確実に凍結防止することができる。戻り通路に加熱手段を設置するだけで凍結防止可能なので、小型な加熱手段を採用することができ、消費電力を極端に抑制してコストを低減することができる。
【図面の簡単な説明】
【００１４】
【図１】実施例に係る燃料電池発電システムの概略構成図である。
【図２】水処理装置の概略構成図である。
【図３】凍結防止時における水処理装置の概略構成図である。
【図４】凍結防止運転制御のフローチャートである。
【発明を実施するための形態】
【００１５】
以下、本発明を実施するための形態について実施例に基づいて説明する。
【実施例】
【００１６】
先ず、燃料電池発電システム１の全体構成について説明する。
図１に示すように、燃料電池発電システム１は、燃料電池発電モジュール２（燃料電池に相当する）、カソード空気ブロワ６、燃料ガス昇圧ブロア７、燃料改質空気ブロア８、排気ガス排出通路９、熱交換器１１、水処理装置１２、インバータ１３等から構成されている。燃料電池発電モジュール２にて発電された直流電力は、インバータ１３を介して交流電力に変換されて外部に出力される。
【００１７】
尚、この燃料電池発電システム１は、熱交換器１１による熱交換後の湯水を貯湯する貯湯槽を有する貯湯システムと、この貯湯システムと燃料電池発電システム１との間に循環ポンプ１９を介して湯水を循環させる為の湯水循環配管４等と組み合わせることで燃料電池コージェネレーションシステムを構成しているが、燃料電池発電システム１以外の構成の詳細な説明は省略する。
【００１８】
次に、燃料電池発電モジュール２について説明する。
図１に示すように、燃料電池発電モジュール２（以下、発電モジュール２という）は、燃料電池セルスタック１４、蒸発器１５（蒸発部に相当する）、燃料改質器１６、オフガス燃焼室１７等を備え、燃料改質器１６によって改質された改質燃料ガス及び酸化剤としての空気を燃料電池セルスタック１４で化学反応させることで発電を行うものである。
【００１９】
蒸発器１５は、燃料ガスに混合する為の水蒸気を純水から生成して燃料改質器１６に供給するものである。蒸発器１５には、燃料ガス昇圧ブロア７によって取り込まれて昇圧された燃料ガス（都市ガスやＬＰＧ等）と、燃料改質空気ブロア８によって取り込まれた燃料改質用の空気とが、共通通路１８ａを介して供給され、水処理装置１２から水供給通路３１を介して純水が供給される。
【００２０】
燃料改質器１６は、その内部に白金等の改質触媒を備え、蒸発器１５から混合通路１８ｂを介して供給される燃料ガスと空気と水蒸気とを混合して反応（所謂、水蒸気改質）させて、水素リッチな改質燃料ガスを生成し、この改質燃料ガスを、改質燃料ガス供給路１８ｃを介して燃料電池セルスタック１４の燃料極側に供給する。
【００２１】
燃料電池セルスタック１４は、複数の燃料電池セルを並べて構成されている。各燃料電池セルは、ジルコニア等の固体電解質と燃料極と酸素極から夫々形成されている。燃料電池セルスタック１４の燃料極（アノード）側には、燃料改質器１６から改質燃料ガスが供給され、燃料電池セルスタック１４の酸素極（カソード）側には、カソード空気ブロア６から空気通路１８ｄを介して空気が供給され、これらを高温の環境下で電気化学反応させて直流電力を生成する。
【００２２】
オフガス燃焼室１７は、燃料電池セルスタック１４の発電に伴い生じる残余燃料ガスを燃焼処理する為のものであり、燃料電池セルスタック１４の燃料極側及び酸素極側の各排出側と接続されている。このオフガス燃焼室１７では、燃料極側から排出された残余燃料ガスを含む反応燃料ガスと、酸素極側から排出された酸素を含む空気とを公知の燃焼触媒を用いて燃焼させることによって高温の排気ガスを生成し、この排気ガスで燃料改質器１６や熱交換器１１を加熱してから、排気ガス排出通路９を介して外部に排出する。
【００２３】
熱交換器１１は、排気ガス排出通路９の途中部に設けられ、湯水循環通路４の一部を構成する熱交換通路部１１ａを備えている。この熱交換器１１において、発電モジュール２から排出される排気ガスを、熱交換通路部１１ａを流れる湯水との間で熱交換させて、排気ガス中に含まれる水蒸気は冷却され凝縮されて凝縮水となる。
【００２４】
次に、水処理装置１２について説明する。
図１〜図３に示すように、水処理装置１２は、水回収手段２１、水処理部２２、貯留手段２３、水供給手段２４、凍結防止機構２５等を備え、水回収手段２１にて凝縮された凝縮水を回収し、水処理部２２により不純物を取り除いた純水を、貯留手段２３で貯留し、水供給手段２４介して発電モジュール２の蒸発器１５に供給するものである。尚、水処理装置１２（又は燃料電池発電システム１）の外気温度は温度センサ２０により検出され、この検出された信号は制御装置４１に送信される。
【００２５】
次に、水回収手段２１と水処理部２２と貯留手段２３とを順に説明する。
水回収手段２１は、発電モジュール２から排出される排気ガスから凝縮水を回収する為のものであり、排気ガスを冷却する上記の熱交換器１１と、この熱交換器１１により冷却された凝縮水を回収する為に排気ガス排出通路９に上流端が接続された回収通路２６とを備えている。
【００２６】
水処理部２２は、熱交換器１１から回収した凝縮水の不純物を除去する為のものであり、処理タンク２７を備えている。処理タンク２７には、凝縮水に含まれる不純物をイオン交換により除去するイオン交換樹脂が設けられている。処理タンク２７の上端部に回収通路２６の下流端が接続される。
【００２７】
貯留手段２３は、水処理部２２により処理された水を貯留する為のものであり、貯留タンク２９を備えている。貯留タンク２９の上端部には、処理タンク２７の下端部と接続するタンク連結通路２８が接続されている。
【００２８】
次に、水供給手段２４について説明する。
図２，図３に示すように、水供給手段２４は、貯留タンク２９内の浄化された純水を発電モジュール５の蒸発器１５へ供給する為のものであり、貯留タンク２９の下端部と蒸発器１５とを接続する水供給通路３１と、この水供給通路３１に設置された純水ポンプ３２とを備えている。純水ポンプ３２の駆動により、貯留タンク２９内の水を、水供給通路３１を介して蒸発器１５に供給する。
【００２９】
純水ポンプ３２は、正逆両方向（図２の矢印ａで示す正方向と図３の矢印ｂで示す逆方向）へ水を供給可能なバルブレスプランジャポンプで構成されているが、ポンプの種類はこれに限定する必要はなく、正逆両方向へ水の供給が可能な構成であれば、ギアポンプや軸流ポンプ等の種々のポンプを採用しても良い。この純水ポンプ３２は、蒸発器１５に水を供給する通常運転時には、制御装置４１により水が正方向に流れるように運転される。
【００３０】
次に、本願特有の凍結防止機構２５について説明する。
図２，図３に示すように、凍結防止機構２５は、上記の循環ポンプ３２、第１逆止弁３５と純水ポンプ３２との間の通路部３１ａから分岐して処理タンク２７の上端近傍部に接続された戻り通路３３と水供給通路３１の純水ポンプ３２の下流側（通路部３１ｂ）から分岐して貯留タンク２９に接続された接続通路３４とを含む循環回路３０、この循環回路３０に湯水を一方向に循環させる為の第１〜第３逆止弁３５〜３７（第１〜第３逆流防止手段に相当する）、ヒータ４０（加熱手段に相当する）等を備えている。
【００３１】
循環回路３０は、水処理装置１２内の水を循環させて水の循環流を発生させるものであり、上記の戻り通路３３と接続通路３４に加えて、処理タンク２７、タンク連結通路２８、貯留タンク２９、水供給通路３１から閉回路に構成されている。尚、戻り通路３３の下流端は、処理タンク２７の上流側であって回収通路２６の途中部に接続されても良い。
【００３２】
回収通路２６、タンク連結通路２８、水供給通路３１、戻り通路３３、接続通路３４の大部分は合成樹脂製の配管部材で構成されているが、戻り通路３３の少なくとも一部は、高熱伝導性の配管部材３９で構成されている。この高熱伝導性の配管部材３９の外周には、制御装置４１によって制御可能なヒータ４０が設けられている。
【００３３】
ヒータ４０は、発熱抵抗体で構成されたものであり、制御装置４１内の抵抗体駆動回路に接続され、戻り通路３３内の水を加熱する場合は、発熱抵抗体に電力が供給され、配管部材３９への加熱を介して水が加熱される。
【００３４】
第１逆止弁３５は、水供給通路３１の貯留タンク２９と純水ポンプ３２との間の通路部３１ａに設置され且つ蒸発器１５側への流れを許容するものである。第２逆止弁３６は、戻り通路３３に設置され且つ処理タンク２７側への流れを許容するものである。第３逆止弁３７は、接続通路３４に設置され且つ純水ポンプ３２（通路部３１ｂ）側への流れを許容するものである。
【００３５】
水供給通路３１の通路部３１ｂには、第４逆止弁３８が設置され、この第４逆止弁３８は蒸発器１５への流れを許容するものである。この第４逆止弁３８より下流側の通路部３１ｂの外周部には、凍結防止用のヒータ（図示省略）が設置されている。
尚、第１〜第４逆止弁３５〜３８は、ダイヤフラム式やバネ式等の公知な逆止弁で構成されるものなので、具体的な構成の説明は省略する。
【００３６】
次に、制御装置４１について説明する。
図２に示すように、燃料電池発電システム１は、純水ポンプ３２やヒータ４０等を制御する制御装置４１（制御手段に相当する）を備えている。温度センサ２０を含む各種の温度センサや流量センサ（図示略）からの信号を制御装置４１が受信し、この信号に基づいて、制御装置４１は純水ポンプ３２、ヒータ４０等を制御し、各種運転（凍結防止運転等）を実行する。
【００３７】
次に、制御装置４１より実行される凍結防止運転制御について、図４のフローチャートに基づいて説明する。この運転制御の制御プログラムは、制御装置４１のコンピュータの記憶部（例えば、ＲＯＭ）に予め格納されている。尚、図中Ｓｉ（ｉ＝１，２・・・）は各ステップを示す。
【００３８】
先ず、発電モジュール２の発電運転が停止したか否か（又は運転停止中か否か）を判定し（Ｓ１）、Ｓ１の判定がＹｅｓの場合、温度センサ２０の検出値に応じて、つまり、燃料電池発電システム１（水処理装置１２）の外気温度に応じて、凍結防止運転が必要か否かを判定する（Ｓ２）。Ｓ１の判定がＮｏの場合は、そのままリターンする。
【００３９】
Ｓ２の判定がＹｅｓの場合、つまり、寒冷地や冬場等において運転停止中に水処理装置１２内の水が凍結する虞があると判定した場合（例えば、外気温度が５℃以下の場合）、凍結防止運転を実行する為に、制御装置４１は、純水ポンプ３２を水の供給方向と逆方向とする逆流運転となるように制御する（Ｓ１３）。Ｓ１２の判定がＮｏの場合は、そのままリターンする。
【００４０】
次に、外気温度が所定の温度以下か否か判定し（Ｓ５）、Ｓ５の判定がＹｅｓの場合、つまり、外気温度がＳ２で設定された温度よりさらに低い温度（例えば、氷点下５℃）以下の場合、制御装置４１は、ヒータ４０をＯＮして戻り通路３３を流れる水を加熱する。そして、この凍結防止運転を維持したまま一連の処理を終了する。Ｓ５の判定がＮｏの場合は、ヒータ４０はＯＦＦの状態のまま凍結防止運転を維持する。
【００４１】
尚、凍結防止運転において、Ｓ３にて、制御装置４１が純水ポンプ３２を逆流運転させると共にヒータ４０をＯＮすることで，その後のステップＳ４，Ｓ５を省略しても良い。また、発電モジュール２の発電開始を検知した場合、又は、外気温度が所定の温度以上になり、凍結防止運転が必要なくなった場合、一連の制御を終了する。
【００４２】
次に、本発明の燃料電池発電システム１の作用及び効果について説明する。
この燃料電池発電システム１は、発電モジュール２の発電運転の停止時又は停止中であって水の凍結防止が必要な場合、水供給通路３１内に滞留した水と貯留タンク２９内に貯留された水を含む水処理装置１２内の水を、図３に示すように循環回路３０に循環させる凍結防止運転モードを有している。
【００４３】
上記の凍結防止運転モードを実行すると、先ずは、制御装置４１は、純水ポンプ３２を水の供給方向を逆方向とする逆流運転となるように制御する。すると、水供給通路３１内に滞留した水は逆方向に流れ、第１逆止弁３５の逆止機能によって戻り通路３３に流入する。
【００４４】
戻り通路３３に流入した水は、第２逆止弁３６を通り処理タンク２７の上端部に流入し、処理タンク２７の下端部からタンク連結通路２８を通って貯留タンク２９に流れる。貯留タンク２９に流入した水は、接続通路３４に流れ、第３逆止弁３７を通って水供給通路３１に流入し、再び戻り通路３３に流れる。このとき、循環ポンプ３２のポンプ自体の発熱等の影響やヒータ４０による加熱によって、循環回路３０を循環する水の凍結を防止することができる。
【００４５】
このように、水処理装置１２が、戻り通路３３と、接続通路３４と、第１〜第３逆防止手段３５〜３７とを備えたので、水処理装置１２内の水の流れを一方向にのみ許容する循環回路３０を構成することができる。凍結防止が必要な場合、制御装置４１は、純水ポンプ３２を逆方向とする逆流運転となるように制御するので、上記の循環回路３０に水が常時循環し、水が凍結し難い状態となる。従って、簡単な構造で水の凍結を防止することができ、また、水処理装置１２の全体に亙って複数のヒータを設置する必要がなくなるので、コストを低減することができる。
【００４６】
さらに、戻り通路３３の一部を高熱伝導性の配管部材３９で構成し、この高熱伝導性の配管部材３９の外周にヒータ４０を設けたので、外気温度に応じて、戻り通路３３の一部で水を加熱することで確実に凍結防止することができる。戻り通路３３の一部にヒータ４０を設置するだけで凍結防止可能なので、小型なヒータ４０を採用することができ、消費電力を極端に抑制してコストを低減することができる。
【００４７】
次に、前記実施例を部分的に変更した形態について説明する。
［１］前記水供給通路３１に設置された第４逆止弁３８を省略しても良い。この場合、第３逆止弁３７には、水供給通路３１の通路部３１ｂに滞留した水のヘッド圧を受けても閉弁状態を維持する程度の逆止能力を備えたものが採用される。
【００４８】
第４逆止弁３８を省略した場合、水供給通路３１の通路部３１ｂ内に滞留した水は、凍結防止運転時には、純水タンク２９に貯留された水の水位と略同じ水位になる。この通路部３１ｂ内の水の水位を、通路部３１ｂと接続通路３４との接続部より高い位置に設定することで、循環回路３０に水を循環させることができる。このため、第４逆止弁３８より下流側の通路部３１ｂの外周に設置されたヒータも省略することができる。
【００４９】
［２］前記戻り通路３３に設置された配管部材３９とヒータ４０は、水処理装置１２内の水を循環させるだけで水の凍結防止が可能な場合は、必ずしも必要ではなく省略しても良い。また、戻り通路３３の全てを高熱伝導性の配管部材３９で構成しても良く、この構成の場合、戻り通路３３の一部の外周にヒータ４０を設置すれば良い。
【００５０】
［３］その他、当業者であれば、本発明の趣旨を逸脱することなく、前記実施例に種々の変更を付加した形態で実施可能であり、本発明はそのような変更形態を包含するものである。
【符号の説明】
【００５１】
１    燃料電池発電システム
２    燃料電池発電モジュール
１２  水処理装置
１５  蒸発器（蒸発部）
２１  水回収手段
２２  水処理部
２３  貯留手段
２４  水供給手段
３１  水供給通路
３２  純水ポンプ
３３  戻り通路
３４  接続通路
３５  第１逆止弁（第１逆流防止手段）
３６  第２逆止弁（第２逆流防止手段）
３７  第３逆止弁（第３逆流防止手段）
４０  ヒータ（加熱手段）
４１  制御装置（制御手段）
【図１】
2013206658.tif 000003
【図２】
2013206658.tif 000004
【図３】
2013206658.tif 000005
【図４】
2013206658.tif 000006